(57)【要約】【課題】  バックライトユニット内に配置された拡散フィルムや光学フィルムフィルムのずれに起因する液晶パネルの浮きを防止することができるとともに、組み立て作業の効率が良く、しかもリワーク性に優れた液晶表示装置用バックライトユニットを提供する。【解決手段】  反射フィルム１４、導光板１６、拡散フィルム１８および光学フィルム２０が四角枠状のケース４２内に配置されたバックライトユニット４０において、上記四角枠状のケースの内側面に、ケースの裏面側からケース内に装入した上記フィルムや板材を支持する中間底板を形成する。【選択図】      図１
2006185804.tif 000002
【特許請求の範囲】
【請求項１】
光学シート材と枠状のケースとを有し、前記光学シート材が前記枠状のケース内に配置されたバックライトユニットにおいて、前記枠状のケースの内側面に、該ケースの裏面側からケース内に装入した前記光学シート材を支持する中間底板が形成されていることを特徴とするバックライトユニット。
【請求項２】
前記枠状のケースは四角枠状であり、該枠状のケースの少なくとも２つの辺部の内側面に前記中間底板を形成した請求項１に記載のバックライトユニット。
【請求項３】
前記枠状のケース内の中間底板の下方に下から順に、前記光学シート材である反射フィルム、導光板、拡散フィルムおよび光学フィルムが配置されている請求項１または２に記載のバックライトユニット。
【請求項４】
前記中間底板と前記導光板とで前記拡散フィルムおよび前記光学フィルムが挟持されている請求項３に記載のバックライトユニット。
【請求項５】
前記中間底板の上面に枠状の遮光両面粘着テープの一方の面が粘着されている請求項１〜４のいずれか１項に記載のバックライトユニット。
【発明の詳細な説明】
【技術分野】
【０００１】
本発明は、液晶表示装置に使用されるバックライトユニットに関する。
【背景技術】
【０００２】
液晶表示装置のバックライトユニットとして、四角枠状のケース内に反射フィルム、導光板、拡散フィルムおよび光学フィルムを積層して配置したものがある（例えば、特許文献１参照）。このようなバックライトユニットとして、従来、図３に示すものが知られている。
【０００３】
図３に示すバックライトユニット１０において、１２は四角枠状のケース、１４は反射フィルム、１６は導光板、１８は拡散フィルム、２０はプリズムシート等の３枚の光学フィルム、２２は四角枠状の遮光両面粘着テープを示す。上記ケース１２の少なくとも２つの辺部２４は、周壁部２６と、周壁部２６の内側面下部から内方に突出した第１凸部２８と、第１凸部２８の内側面下部から内方に突出した第２凸部３０とを有する。
【０００４】
また、本例のバックライトユニット１０では、図示していないが、ケース１２の１つの辺部と導光板１６との間にＬＥＤ等の光源が配置されている。そして、この光源からの照射光は、導光板１６を介して反射フィルム１４によって液晶パネル側Ｐに反射され、拡散フィルム１８および光学フィルム２０を透過して液晶パネル側Ｐに照射される。
【０００５】
本例のバックライトユニット１０を組み立てる場合、まず、ケース１２内の第２凸部３０の内方に形成された空間部に導光板１６を配置し、導光板１６をケース１２の係止爪で固定する。また、第２凸部３０の下面と反射フィルム１４とを両面接着テープ３２で接着することにより、反射フィルム１４および導光板１６をケース１２内に固定する。
【０００６】
次に、ケース１２内に上面側から拡散フィルム１８および３枚の光学フィルム２０を順次落とし込んで第２凸部３０および導光板１６の上に拡散フィルム１８および光学フィルム２０を積層することにより、第１凸部２８の内方に形成された空間部に拡散フィルム１８および光学フィルム２０を配置する。その後、四角枠状の遮光両面粘着テープ２２を第１凸部２８の上面に粘着することにより、拡散フィルム１８、光学フィルム２０をケース１２内に固定する。
【０００７】
なお、上記バックライトユニットを用いて液晶表示装置を組み立てる際には、前記周壁部２６の上部の内方に形成される空間部に液晶パネル（図示せず）を配置し、この液晶パネルを遮光両面粘着テープ２２の上面に粘着することにより、ケース１２内に液晶パネルを固定する。
【０００８】
【特許文献１】特開２００３−３１５７９３号公報
【発明の開示】
【発明が解決しようとする課題】
【０００９】
しかし、図３に示すバックライトユニット１０には、次のような欠点があった。第１は、拡散フィルム１８および光学フィルム２０が配置される第１凸部２８内方の空間部の深さが浅いため、上記空間部に拡散フィルム１８および光学フィルム２０を落とし込むときに、フィルムのそり、静電気などに起因して拡散フィルム１８および光学フィルム２０が正しい位置からずれやすく、ときには拡散フィルム１８および光学フィルム２０の縁部が第１凸部２８上に乗り上げた状態になることである。このように拡散フィルム１８および光学フィルム２０の縁部が第１凸部２８上に乗り上げた状態のままバックライトユニットを組み立て、このバックライトユニットを用いて液晶表示装置を作製した場合、液晶パネルが上記乗り上げたフィルムの厚さ分浮き上がり、この液晶パネルの浮きが液晶表示装置の特性面、強度面に悪影響を及ぼすものであった。
【００１０】
第２は、前述したように組み立て時にまず反射フィルム１４および導光板１６をケース１２内に固定した後、ケース１２内に上面側から拡散フィルム１８および光学フィルム２０を順次落とし込んでこれらをケース１２内に固定するので、組み立て作業が面倒で、組み立て作業の効率が悪い点である。
【００１１】
第３は、必要によりバックライトユニットに対して再生作業を行う場合のリワーク性が悪いことである。すなわち、図３のバックライトユニットでは、遮光両面粘着テープ２２とその下の光学フィルム２０との間の隙間が非常に小さいため、遮光両面粘着テープ２２と光学フィルム２０とが粘着することがある。このように遮光両面粘着テープ２２と光学フィルム２０とが粘着すると、遮光両面粘着テープ２２を剥がして再生作業をする場合に、遮光両面粘着テープ２２の下の光学フィルム２０が遮光両面粘着テープ２２の剥離時に破損することがあるため、この光学フィルム２０の再使用が不可能になり、リワーク性が悪くなるものであった。
【００１２】
本発明は、前述した事情に鑑みてなされたもので、バックライトユニット内に配置された拡散フィルムや光学フィルムのずれに起因する液晶パネルの浮きを防止することができるとともに、組み立て作業の効率が良く、しかもリワーク性に優れた液晶表示装置用バックライトユニットを提供することを目的とする。
【課題を解決するための手段】
【００１３】
本発明は、前記目的を達成するため、光学シート材と枠状のケースとを有し、前記光学シート材が前記枠状のケース内に配置されたバックライトユニットにおいて、前記枠状のケースの内側面に、該ケースの裏面側からケース内に装入した前記光学シート材を支持する中間底板が形成されていることを特徴とするバックライトユニットを提供する。
【００１４】
本発明のバックライトユニットは、中間底板の下方に拡散フィルムや光学フィルムを配置するので、拡散フィルムや光学フィルムの縁部が中間底板上に乗り上げることがなく、そのため拡散フィルムや光学フィルムが中間底板に乗り上げることに起因する液晶パネルの浮きが生じない。しかも、反射フィルム、導光板、拡散フィルム、光学フィルム等のシート材を配置する空間部（ケースの中間底板の下方部分の内方に形成される空間部）の深さを深くすることができるので、この点でも拡散フィルムや光学フィルムのずれを良好に防止することができる。
【００１５】
また、本発明のバックライトユニットは、ケースの裏面側からケース内に反射フィルム、導光板、拡散フィルム、光学フィルム等のシート材を落とし込むことにより作製できるので、組み立て作業の効率が良い。
【００１６】
さらに、本発明のバックライトユニットは、中間底板の上面に枠状の遮光両面粘着テープの一方の面を粘着することができるので、遮光両面粘着テープとその下の光学フィルムとの間に中間底板の厚さ分の空間部を形成することができ、遮光両面粘着テープと光学フィルムとの粘着を防止することができる。したがって、遮光両面粘着テープを剥がして再生作業をする場合に、遮光両面粘着テープの下の光学フィルムが破損することがないため、リワーク性が向上する。
【００１７】
本発明のバックライトユニットは、前記枠状のケースを四角枠状とした場合、該ケースの４つの辺部（四角枠を形成する各直線部分）のうちの少なくとも２つの辺部の内側面に中間底板を形成すればよい。ただし、４つまたは３つの辺部の内側面に中間底板を形成してもよい。
【００１８】
また、本発明のバックライトユニットは、枠状のケース内の中間底板の下方に下から順に前記光学シート材である反射フィルム、導光板、拡散フィルムおよび光学フィルムが配置された構成とすることができる。ただし、ケース内に配置するシート材は上記に限定されるものではなく、反射フィルム、導光板、拡散フィルムおよび光学フィルムに加えて他のシート材を配置してもよい。
【００１９】
さらに、本発明のバックライトユニットでは、中間底板と導光板とで拡散フィルムおよび光学フィルムを挟持することが好ましく、これにより拡散フィルムおよび光学フィルムをケース内に強固に固定することができる。
【発明の効果】
【００２０】
本発明のバックライトユニットは、拡散フィルムや光学フィルムのずれに起因する液晶パネルの浮きを防止することができるとともに、組み立て作業の効率が良く、しかもリワーク性に優れている。
【発明を実施するための最良の形態】
【００２１】
以下、本発明の実施の形態を図面を参照して説明するが、本発明は下記例に限定されるものではない。図１は本発明に係るバックライトユニットの一実施形態を示す一部省略断面図である。なお、図１において、図３のバックライトユニットと同一構成の部分には、同一の参照符号を付してその説明を省略する。
【００２２】
本例のバックライトユニット４０は、図３に示したバックライトユニットとは異なる四角枠状のケース４２を有する。この四角枠状のケース４２の少なくとも２つの辺部４４は、周壁部４６と、周壁部４６の内側面下部から内方に突出した凸部４８と、凸部４８の上端部から内方に突出した中間底板５０とを有する。中間底板５０は、四角枠状のケース４２の高さ方向中間部に形成され、ケース４２の裏面側からケース４２内に装入した反射フィルム、導光板、拡散フィルム、光学フィルム等のシート材を支持するものである。中間底板５０は、例えば図２（Ａ）に示すように、導光板との間に光源を配置する辺部６０を除く３つの辺部の内側面に形成したり、図２（Ｂ）に示すように、導光板との間に光源を配置する辺部６０に隣接する２つの辺部の内側面に形成したりすることができるが、これらに限定されるものではない。
【００２３】
そして、上記四角枠状のケース４２内の中間底板５０の下方には、下から順に反射フィルム１４、導光板１６、拡散フィルム１８およびプリズムシート等の３枚の光学フィルム２０が配置され、中間底板５０と導光板１６とで拡散フィルム１８および光学フィルム２０が挟持されている。また、中間底板５０の上面に四角枠状の遮光両面粘着テープ２２の一方の面が粘着されている。なお、ケース４２の凸部４８の下面の反射フィルム１４が接着される箇所には深さの浅い凹部５２が形成され、この凹部５２内に反射フィルム１４の縁部が配置されている。
【００２４】
本例のバックライトユニット４０を組み立てる場合、ケース４２内に裏面側から３枚の光学フィルム２０、拡散フィルム１８および導光板１６を順次落とし込み、最初に落とし込んだ光学フィルム２０の縁部を中間底板５０に当接させて上記光学フィルム２０、拡散フィルム１８および導光板１６を中間底板５０で支持した後、導光板１６をケース４２の係止爪で固定する。また、ケース４２の凸部４８の下面と反射フィルム１４とを両面接着テープ３２で接着することにより、反射フィルム１４をケース５２内に固定する。また、四角枠状の遮光両面粘着テープ２２の一方の面を中間底板５０および凸部４８の上面に粘着する。
【００２５】
なお、上述した点を除けば、本例のバックライトユニットは図３に示したバックライトユニットと同様であるため、光源、液晶パネル等の点に関しては説明を省略する。
【００２６】
本例のバックライトユニット４０は、拡散フィルム１８や光学フィルム２０の縁部が中間底板５０上に乗り上げることがなく、そのため拡散フィルム１８や光学フィルム２０が中間底板に乗り上げることに起因する液晶パネルの浮きが生じない。しかも、反射フィルム１４、導光板１６、拡散フィルム１８、光学フィルム２０を配置する空間部（ケース４２の中間底板５０の下方部分の内方に形成される空間部）の深さを深くすることができるため、この点でも拡散フィルム１８や光学フィルム２０のずれを防止することができる。
【００２７】
また、本例のバックライトユニット４０は、ケース４２の裏面側からケース４２内に光学フィルム２０、拡散フィルム１８および導光板１６を順次落としむことにより作製できるので、組み立て作業の効率が良い。
【００２８】
さらに、本例のバックライトユニット４０は、遮光両面粘着テープ２２とその下の光学フィルム２０との間に中間底板５０の厚さ分の空間部５４を形成することができるため、遮光両面粘着テープ２２を剥がして再生作業をする場合に遮光両面粘着テープ２２の下の光学フィルム２０が破損することがないため、リワーク性に優れている。
【００２９】
また、本例のバックライトユニット４０は、遮光両面粘着テープ２２と中間底板５０および凸部４８の上面との粘着面積を、図３のバックライトユニット１０における遮光両面粘着テープ２２と第１凸部２８の上面との粘着面積より大きくすることができるため、遮光両面粘着テープ２２の粘着強度が高くなり、これによりバックライトユニットの強度が向上する。
【００３０】
なお、本発明のバックライトユニットは、前述した実施形態に限定されるものではなく、種々の変更が可能である。例えば、前記実施形態では周壁部４６に凸部４８を設け、この凸部４８の上端部に中間底板５０を形成したが、凸部４８は必ずしも設ける必要はない。また、中間底板５０の突出長さ、厚さ、ケース内側面における形成位置も適宜設定可能である。
【図面の簡単な説明】
【００３１】
【図１】図１は本発明に係るバックライトユニットの一実施形態を示す一部省略断面図である。
【図２】中間底板の形成位置を示す説明図である。
【図３】従来のバックライトユニットの一例を示す一部省略断面図である。
【符号の説明】
【００３２】
１４  反射フィルム
１６  導光板
１８  拡散フィルム
２０  光学フィルム
４０  バックライトユニット
４２  四角枠状のケース
４４  辺部
４６  周壁部
４８  凸部
５０  中間底板
【図１】
2006185804.tif 000003
【図２】
2006185804.tif 000004
【図３】
2006185804.tif 000005